【手続補正書】
【提出日】平成27年5月29日(2015.5.29)
【手続補正１】
【補正対象書類名】明細書
【補正対象項目名】０１１１
【補正方法】変更
【補正の内容】
【０１１１】
したがって、いくつかの用途では、曲げ特性が向上した構成（図９Ａまたは図９Ｂに示すもの等）が、熱特性の効率が低下するにも関らず望ましい可能性がある。いくつかの用途では、外径が２５ｍｍ〜２６ｍｍ（または約２５ｍｍ〜約２６ｍｍ）であるチューブが、熱効率、可撓性および曲げ性能の間の優れたバランスを提供することが分かった。いくつかの実施形態では図９Ａおよび図９Ｂの構成が好ましい可能性があるが、図１１Ａ〜図１１Ｄおよび他の変形の構成を含む他の構成を、必要に応じて他の実施形態において利用することができる。
【手続補正２】
【補正対象書類名】特許請求の範囲
【補正対象項目名】全文
【補正方法】変更
【補正の内容】
【特許請求の範囲】
【請求項１】
らせん状に巻回されて、長手方向軸と、前記長手方向軸に沿って延在する内腔と、前記内腔を少なくとも部分的に包囲する中空壁とを有する細長いチューブを少なくとも部分的に形成する中空体を備えた、第１細長部材と、
らせん状に巻回されかつ前記第１細長部材の隣接する巻きの間で接合された第２細長部材であって、前記細長いチューブの前記内腔の少なくとも一部を形成する第２細長部材と、
を具備し、
前記第２細長部材が前記第１細長部材の構造的支持または補強として作用する、複合チューブ。
【請求項２】
前記第２細長部材が前記第１細長部材より可撓性が低い、請求項１に記載の複合チューブ。
【請求項３】
前記第２細長部材が、キンク、閉塞または潰れなしに短半径曲げを可能にするのに十分可撓性なままに、耐破砕性を提供する、請求項１に記載の複合チューブ。
【請求項４】
前記第１細長部材の部分が、前記第２細長部材の隣接する巻きにオーバーラップしている、請求項１〜３のいずれか一項に記載の複合チューブ。
【請求項５】
前記第２細長部材が、中実またはほぼ中実である、請求項１〜４のいずれか一項に記載の複合チューブ。
【請求項６】
前記第１細長部材が、縦断面において、前記内腔に平坦な面がある複数の半球状体を形成している、請求項１〜５のいずれか一項に記載の複合チューブ。
【請求項７】
隣接する半球状体が、前記第２細長部材の上方の間隙によって分離されている、請求項６に記載の複合チューブ。
【請求項８】
前記間隙がより短半径の曲げをもたらす、請求項７に記載の複合チューブ。
【請求項９】
前記半球状体が穿孔を有している、請求項６〜８のいずれか一項に記載の複合チューブ。
【請求項１０】
前記第２細長部材が、前記内腔に隣接して幅が広くなり前記内腔から半径方向の距離において幅が狭くなる縦断面を有している、請求項１〜９のいずれか一項に記載の複合チューブ。
【請求項１１】
前記第２細長部材に埋め込まれるかまたは封入された１つまたは複数の導電性フィラメントを具備する、請求項１〜１０のいずれか一項に記載の複合チューブ。
【請求項１２】
前記第２細長部材が、略三角形、略Ｔ字型または略Ｙ字型である縦断面を有し、前記１つまたは複数の導電性フィラメントが、前記第２細長部材の前記三角形、前記Ｔ字または前記Ｙ字の両側に埋め込まれるかまたは封入されている、請求項１１に記載の複合チューブ。
【請求項１３】
前記内腔における前記中空壁の一部が、前記内腔に対向する前記中空体の一部よりも薄い、請求項１〜１２のいずれか一項に記載の複合チューブ。
【請求項１４】
医療用回路構成要素、吸気チューブ、呼気チューブ、ＰＡＰ構成要素、送気構成要素、診査構成要素および外科手術構成要素の１つ以上である請求項１〜１３のいずれか一項に記載の複合チューブ。
【請求項１５】
複合チューブを製造する方法であって、
中空体を備える第１細長部材と、前記第１細長部材に対する構造的支持を提供するように構成された第２細長部材とを提供するステップと、
マンドレルの周囲に前記第２細長部材を、前記第２細長部材の対向する側縁部分が隣接する巻付け部において間隔を空けて配置されるように、らせん状に巻き付け、それにより第２細長部材らせんを形成するステップと、
前記第２細長部材らせんの周囲に前記第１細長部材を、前記第１細長部材のいくつかの部分が前記第２細長部材らせんの隣接する巻付け部にオーバラップし、前記第１細長部材の一部が前記第２細長部材らせんの前記巻付け部の間の前記空間において前記マンドレルに隣接して配置されるように、らせん状に巻き付け、それにより第１細長部材らせんを形成するステップと、
を含む方法。
【請求項１６】
前記第１細長部材の端部に、大気圧より高い圧力で空気を供給するステップをさらに含む、請求項１５に記載の方法。
【請求項１７】
前記第２細長部材らせんおよび前記第１細長部材らせんを冷却して、長手方向軸に沿って延在する内腔と前記内腔を包囲する中空空間とを有する複合チューブを形成するステップをさらに含む、請求項１５または１６に記載の方法。
【請求項１８】
前記第１および／または第２細長部材を形成するステップをさらに含む、請求項１５〜１７のいずれか一項に記載の方法。
【請求項１９】
前記第１および／または第２細長部材を形成するステップが、前記第１および／または第２細長部材を各々の押出機で押出成形することを含む、請求項１８に記載の方法。
【請求項２０】
前記第２細長部材を形成するステップが、前記第２細長部材に導電性フィラメントを埋め込むかまたは封入することを含む、請求項１８または１９に記載の方法。
【請求項２１】
らせん状に巻回されて、長手方向軸と、前記長手方向軸に沿って延在する内腔と、前記内腔を少なくとも部分的に包囲する中空壁とを有する細長いチューブを形成する細長い中空体であって、縦断面において前記中空壁の少なくとも一部を画定する壁を有している、細長い中空体と、
前記細長い中空体の隣接する巻きの間にらせん状に配置されている、前記細長い中空体の長さに沿って延在している補強部分であって、前記細長いチューブの前記内腔の一部を形成する補強部分と、
を具備し、
前記補強部分が、前記細長い中空壁の少なくとも一部を画定する前記壁より相対的に厚いかまたは剛性である、医療用チューブ。
【請求項２２】
前記補強部分が、前記細長い中空体と同じ材料片から形成されている、請求項２１に記載の医療用チューブ。
【請求項２３】
前記細長い中空体が、横断面において、前記細長い中空体の両側に２つの補強部分を備える、請求項２２に記載の医療用チューブ。
【請求項２４】
前記補強部分の対向する側縁が、前記細長い中空体の隣接する巻きにオーバラップしている、請求項２３に記載の医療用チューブ。
【請求項２５】
前記補強部分が、前記細長い中空体とは別個の材料片から作製されている、請求項２１に記載の医療用チューブ。
【請求項２６】
前記中空体が、縦断面において、前記内腔に平坦な面がある複数の半球状体を形成している、請求項２１〜２５のいずれか一項に記載の医療用チューブ。
【請求項２７】
前記半球状体が穿孔を有している、請求項２６に記載の医療用チューブ。
【請求項２８】
前記補強部分に埋め込まれるかまたは封入された１つまたは複数の導電性フィラメントを具備する、請求項２１〜２７のいずれか一項に記載の医療用チューブ。
【請求項２９】
医療用回路構成要素、吸気チューブ、呼気チューブ、ＰＡＰ構成要素、送気構成要素、診査構成要素および外科手術構成要素の１つ以上である請求項２１〜２８のいずれか一項に記載の複合チューブ。
【請求項３０】
医療用チューブを製造する方法であって、
マンドレルの周囲に細長い中空体をらせん状に巻回して、長手方向軸と、前記長手方向軸に沿って延在する内腔と、前記内腔を少なくとも部分的に包囲する中空壁とを有する細長いチューブを形成するステップであって、前記細長い中空体が、横断面において、前記中空壁の少なくとも一部を画定する壁と、前記内腔の一部を形成する、前記細長い中空体の両側の２つの補強部分とを有し、前記２つの補強部分が、前記中空壁の少なくとも一部を画定する壁より相対的に厚いかまたは剛性である、ステップと、
隣接する補強部分を、前記補強部分の対向する縁が前記細長い中空体の隣接する巻きの上で接触するように互いに接合するステップと、
を含む方法。
【請求項３１】
隣接する補強部分を互いに接合するステップが、前記補強部分の縁をオーバラップさせる、請求項３０に記載の方法。
【請求項３２】
前記細長い中空体の端部に大気圧より高い圧力で空気を供給するステップをさらに含む、請求項３０または３１に記載の方法。
【請求項３３】
前記細長い中空体を冷却して前記隣接する補強部分を互いに接合するステップをさらに含む、請求項３０〜３２のいずれか一項に記載の方法。
【請求項３４】
前記細長い中空体を押出成形するステップをさらに含む、請求項３０〜３３のいずれか一項に記載の方法。
【請求項３５】
前記補強部分に１つ以上の導電性フィラメントを埋め込むかまたは封入するステップをさらに含む、請求項３０〜３４のいずれか一項に記載の方法。